(57)【要約】【課題】負荷回路が着脱自在であり、異なる特性を持つ負荷回路が電源装置に接続される可能性がある場合であっても、負荷回路に適した最大電圧閾値を設定し、負荷回路を正常に動作させるとともに、出力電圧の過度な上昇を防ぐ。【解決手段】最大電圧閾値算出部１４は、電圧測定部１３が複数回測定した複数の電圧値の間の差が所定の安定閾値以内である場合に、上記複数の電圧値を代表する値を電圧標準値とし、上記電圧標準値に所定の算出係数を乗じた積を算出して、最大電圧閾値とする。【選択図】図２
2014079043.tif 000002
【特許請求の範囲】
【請求項１】
負荷回路に対して供給する電力を出力する電源回路と、
上記電源回路が出力する電力の電流値を測定する電流測定部と、
上記電源回路が出力する電力の電圧値を測定する電圧測定部と、
上記電圧測定部が測定した電圧値に基づいて、最大電圧閾値を算出する最大電圧閾値算出部と、
上記電圧測定部が測定した電圧値が上記最大電圧閾値を超えない範囲で、上記電流測定部が測定した電流値が所定の電流目標値に近づくよう、上記電源回路を制御する制御部と
を有し、
上記最大電圧閾値算出部は、上記電圧測定部が複数回測定した複数の電圧値の間の差が所定の安定閾値以内である場合に、上記複数の電圧値を代表する値を電圧標準値とし、上記電圧標準値に所定の算出係数を乗じた積を算出して、上記最大電圧閾値とする
ことを特徴とする電源装置。
【請求項２】
上記複数の電圧値を代表する値は、上記複数の電圧値の平均値または中間値または最頻値または最小値または最大値または最新値または最古値であることを特徴とする請求項１に記載の電源装置。
【請求項３】
上記算出係数は、１．１以上１．３以下であることを特徴とする請求項１または請求項２に記載の電源装置。
【請求項４】
上記最大電圧閾値算出部は、上記電流測定部が測定した電流値が所定の電流閾値より大きいときに上記電圧測定部が測定した電圧値に基づいて、上記最大電圧閾値を算出することを特徴とする請求項１乃至請求項３のいずれかに記載の電源装置。
【請求項５】
上記最大電圧閾値算出部は、上記電流測定部が測定した電流値が所定の電流閾値より大きくなってから少なくとも所定の経過時間が経過したのちに上記電圧測定部が測定した電圧値に基づいて、上記最大電圧閾値を算出することを特徴とする請求項１乃至請求項４のいずれかに記載の電源装置。
【請求項６】
光源回路を有するランプを着脱自在に保持する保持部と、
上記保持部が保持したランプの光源回路と電気接続し、上記光源回路を上記負荷回路とし、上記光源回路に対して電力を供給する請求項１乃至請求項５のいずれかに記載の電源装置と
を有することを特徴とする照明装置。
【発明の詳細な説明】
【技術分野】
【０００１】
この発明は、負荷回路に対して電力を供給する電源装置に関する。
【背景技術】
【０００２】
ランプに内蔵される光源回路などの負荷回路に対して電力を供給する電源装置において、出力電流が一定になるよう動作するものがある。
このような電源装置が動作中に、負荷回路が外されると、出力電流が減少する。電源装置は、所定の出力電流を流そうとするので、出力電圧が上昇する場合がある。これにより、アーク放電が発生し、あるいは、負荷回路が再接続されたときに過電圧が印加され、電源装置や負荷回路の故障や寿命短縮の原因となる場合がある。
これを防ぐため、出力電圧が所定の閾値まで上昇した場合に、電源装置の動作を停止する技術がある。
【０００３】
しかし、負荷回路の電気特性にばらつきがある場合、閾値が低すぎると、負荷回路の特性によっては、正常に動作しない場合が生じる。これを防ぐため閾値を高く設定すると、負荷回路の特性によっては、再接続されたときに過電圧が印加される場合が生じる。
このため、製造段階で、負荷回路の特性をあらかじめ測定し、測定結果に基づく基準値を電源装置に記憶する技術がある。
【先行技術文献】
【特許文献】
【０００４】
【特許文献１】特開２０１２−９３９１号公報
【特許文献２】特開２００８−２３５１８６号公報
【発明の概要】
【発明が解決しようとする課題】
【０００５】
製造段階で、負荷回路の特性をあらかじめ測定し、測定結果に基づく基準値を電源装置に記憶する方式は、電源装置と負荷回路との組み合わせが固定されていればよいが、負荷回路が着脱自在であり、異なる特性を持つ負荷回路が電源装置に接続される可能性がある場合には適用できない。
この発明は、例えば、負荷回路が着脱自在であり、異なる特性を持つ負荷回路が電源装置に接続される可能性がある場合であっても、負荷回路に適した閾値を設定し、負荷回路を正常に動作させるとともに、出力電圧の過度な上昇を防ぐことを目的とする。
【課題を解決するための手段】
【０００６】
この発明にかかる電源装置は、負荷回路に対して供給する電力を出力する電源回路と、上記電源回路が出力する電力の電流値を測定する電流測定部と、上記電源回路が出力する電力の電圧値を測定する電圧測定部と、上記電圧測定部が測定した電圧値に基づいて、最大電圧閾値を算出する最大電圧閾値算出部と、上記電圧測定部が測定した電圧値が上記最大電圧閾値を超えない範囲で、上記電流測定部が測定した電流値が所定の電流目標値に近づくよう、上記電源回路を制御する制御部とを有し、上記最大電圧閾値算出部は、上記電圧測定部が複数回測定した複数の電圧値の間の差が所定の安定閾値以内である場合に、上記複数の電圧値の平均値または中間値または最頻値または最小値または最大値または最新値または最古値を電圧標準値とし、上記電圧標準値に所定の算出係数を乗じた積を算出して、上記最大電圧閾値とすることを特徴とする。
【発明の効果】
【０００７】
この発明にかかる電源装置によれば、負荷回路が着脱自在であり、異なる特性を持つ負荷回路が電源装置に接続される可能性がある場合であっても、負荷回路に適した最大電圧閾値を設定し、負荷回路を正常に動作させるとともに、電源回路の出力電圧値が過度に上昇するのを防ぐことができる。
【図面の簡単な説明】
【０００８】
【図１】実施の形態１における照明装置１０の外観を示す斜視図。
【図２】実施の形態１における照明装置１０のブロック構成を示す図。
【図３】実施の形態１における照明装置１０の回路構成を示す図。
【図４】実施の形態１における光源回路２１の特性を示す図。
【図５】実施の形態１における照明装置１０の処理の流れを示す図。
【図６】実施の形態１における照明装置１０の動作を説明するための図。
【発明を実施するための形態】
【０００９】
実施の形態１．
実施の形態１について、図１〜図６を用いて説明する。
【００１０】
図１は、この実施の形態における照明装置１０の外観を示す斜視図である。
【００１１】
照明装置１０は、ランプ２０を接続して使用される。照明装置１０は、例えば、ソケット１０１を有する。ソケット１０１（保持部）は、ランプ２０を着脱自在に保持する。
【００１２】
図２は、この実施の形態における照明装置１０のブロック構成を示す図である。
【００１３】
照明装置１０（電源装置、点灯装置）は、例えば、電源回路１１と、電流測定部１２と、電圧測定部１３と、最大電圧閾値算出部１４と、制御部１５とを有する。
ランプ２０は、例えば、光源回路２１を有する。光源回路２１は、例えばＬＥＤなどの光源を有する。
電源回路１１は、ソケット１０１が保持したランプ２０の光源回路２１と電気接続する。電源回路１１は、光源回路２１に対して供給する電力を出力する。電源回路１１は、例えば、商用電源や太陽光発電システムなどの外部電源や、蓄電池などの内部電源から供給された電力を、光源回路２１に対して供給する電力に変換する。外部電源や内部電源から電源回路１１に供給される電力は、交流であってもよいし、直流であってもよい。ランプ２０の光源は、電源回路１１から供給された電力により点灯する。
電流測定部１２は、電源回路１１が出力する電力の電流値（以下「出力電流値」と呼ぶ。）を測定する。
電圧測定部１３は、電源回路１１が出力する電力の電圧値（以下「出力電圧値」と呼ぶ。）を測定する。
最大電圧閾値算出部１４は、最大電圧閾値を算出する。最大電圧閾値算出部１４は、例えば、電流測定部１２が測定した出力電流値や、電圧測定部１３が測定した出力電圧値などに基づいて、最大電圧値を算出する。
【００１４】
制御部１５は、電源回路１１の動作を制御する。制御部１５は、例えば、電流測定部１２が測定する出力電流値が所定の電流目標値に近づくよう、電源回路１１を制御する。例えば、出力電流値が電流目標値より大きければ、制御部１５は、電源回路１１の出力を下降させる。逆に、出力電流値が電流目標値より小さければ、制御部１５は、電源回路１１の出力を上昇させる。これにより、ランプ２０の光源が所定の明るさで点灯する。
ただし、制御部１５は、電圧測定部１３が測定する出力電圧値が、最大電圧閾値算出部１４が算出した最大電圧閾値を超えない範囲で、電源回路１１の出力を調整する。したがって、出力電流値が電流目標値より小さい場合であっても、出力電圧値が既に最大電圧閾値に達している場合には、制御部１５は、電源回路１１の出力を上昇させない。
【００１５】
図３は、この実施の形態における照明装置１０の回路構成を示す図である。
【００１６】
光源回路２１は、例えば、複数の光源２１１と、接続検出抵抗２１２とを有する。
光源２１１は、例えばＬＥＤである。複数の光源２１１は、複数のグループに分けられ、それぞれのグループに属する光源２１１は、互いに直列に電気接続している。それぞれのグループに属する光源２１１が直列に電気接続した直列回路は、互いに並列に電気接続している。なお、それぞれの直列回路は、光源２１１の順方向降下電圧の違いを吸収するための電流制限抵抗を有する構成であってもよい。
接続検出抵抗２１２は、光源２１１の直列回路に対して並列に電気接続している。
【００１７】
電源回路１１（点灯回路）は、例えば、入力回路１６と、直流直流変換回路１７とを有する。
入力回路１６（直流生成部）は、外部電源８１から供給される電力を入力する。入力回路１６は、例えば、整流回路１６１と、コンデンサ１６２とを有する。整流回路１６１は、例えば、４つの整流素子をブリッジ接続した全波整流回路であり、交流を脈流に変換する。コンデンサ１６２は、整流回路１６１の出力に電気接続されている。
直流直流変換回路１７（コンバータ）は、例えば、スイッチング素子１７１と、整流素子１７２と、チョークコイル１７３と、平滑コンデンサ１７４とを有するバックコンバータ回路である。スイッチング素子１７１は、例えば、エンハンスメント型ｎＭＯＳＦＥＴである。
【００１８】
電圧測定部１３は、例えば、２つの分圧抵抗１３１，１３２を有する。２つの分圧抵抗１３１，１３２は、互いに直列に電気接続している。２つの分圧抵抗１３１，１３２の直列回路は、ソケット１０１に接続したランプ２０の光源回路２１に対して並列に電気接続している。分圧抵抗１３２の両端電圧の値は、電源回路１１の出力電圧値にほぼ比例する。
【００１９】
電流測定部１２は、例えば、電流測定抵抗１２１を有する。電流測定抵抗１２１は、ソケット１０１に接続したランプ２０の光源回路２１に対して直列に電気接続している。電流測定抵抗１２１の両端電圧の値は、電源回路１１の出力電流値にほぼ比例する。
【００２０】
最大電圧閾値算出部１４は、最大電圧閾値を記憶する。初期状態において、最大電圧閾値算出部１４は、あらかじめ設定された初期値を、最大電圧閾値として記憶している。
最大電圧閾値算出部１４は、電圧測定部１３が測定した出力電圧値を表わす信号として、分圧抵抗１３２の両端電圧を入力する。最大電圧閾値算出部１４は、電流測定部１２が測定した出力電流値を表わす信号として、電流測定抵抗１２１の両端電圧を入力する。
最大電圧閾値算出部１４は、入力した信号に基づいて、最大電圧閾値を算出する。最大電圧閾値算出部１４は、算出した最大電圧閾値を記憶する。
【００２１】
制御部１５は、最大電圧閾値算出部１４が記憶している最大電圧閾値に基づいて、電源回路１１を制御する。
制御部１５は、例えば、スイッチング素子１７１を高周波でオンオフする。例えば、制御部１５がスイッチング素子１７１のオン時間を長くすると、電源回路１１の出力が上昇する。逆に、制御部１５がスイッチング素子１７１のオン時間を短くすると、電源回路１１の出力が下降する。また、制御部１５がスイッチング素子１７１を継続してオフにすると、電源回路１１の動作が停止する。
【００２２】
図４は、この実施の形態における光源回路２１の特性を示す図である。
【００２３】
横軸は、光源回路２１の入力電圧の値を表わす。縦軸は、光源回路２１の入力電流の値を表わす。
曲線３１１〜３１３は、光源回路２１の電圧電流特性を表わす。
光源回路２１の電圧電流特性は、温度によって変化する。曲線３１１は温度がＴ１の場合、曲線３１２は温度がＴ２の場合、曲線３１３は温度がＴ３の場合を表わす。ただし、Ｔ１＞Ｔ２＞Ｔ３である。
【００２４】
光源回路２１の入力電圧が低い場合、光源２１１には電流が流れない。光源回路２１の入力電流は、接続検出抵抗２１２を流れる電流である。
光源回路２１の入力電圧が、ある閾値より高くなると、光源２１１に電流が流れる。この閾値は、直列に電気接続した光源２１１の順方向降下電圧の合計によって定まる。光源２１１がＬＥＤの場合、順方向降下電圧は、温度が高くなるほど低くなる。したがって、この閾値は、温度が高くなるほど低くなる。また、光源２１１によって順方向降下電圧が異なるので、この閾値は、ランプ２０によって異なる。
【００２５】
図５は、この実施の形態における照明装置１０の処理の流れを示す図である。
【００２６】
点灯処理４０において、照明装置１０は、ランプ２０を点灯する。点灯処理４０は、例えば、動作工程４１と、測定工程４２と、出力調整工程４３と、安定判定工程４４と、最大電圧閾値算出工程４５と、停止工程４６とを有する。
【００２７】
動作工程４１において、制御部１５は、電源回路１１を動作させる。
測定工程４２において、電流測定部１２は、出力電流値ｉを測定する。電圧測定部１３は、出力電圧値ｖを測定する。
出力調整工程４３において、制御部１５は、電源回路１１の出力を調整する。
【００２８】
出力電圧値ｖが最大電圧閾値ｖｍａｘと等しく、かつ、出力電流値ｉが所定の無負荷判定閾値ｉ１より小さい場合は、ランプ２０が接続されていないと考えられる。制御部１５は、停止工程４６へ処理を進める。
それ以外の場合において、安定判定工程４４を前回実行してからの経過時間ｔが所定の判定周期Ｔより小さい場合、制御部１５は、動作工程４１に処理を戻す。
経過時間ｔが判定周期Ｔ以上である場合、制御部１５は、安定判定工程４４へ処理を進める。
【００２９】
安定判定工程４４において、最大電圧閾値算出部１４は、出力電圧値が安定しているか否かを判定する。例えば、最大電圧閾値算出部１４は、安定判定工程４４を前回実行したときの出力電圧値と、今回の出力電圧値との差が、所定の安定閾値以内であれば、出力電圧値が安定していると判定する。そのため、最大電圧閾値算出部１４は、出力電圧値を記憶する。最大電圧閾値算出部１４は、前回の安定判定工程４４で記憶した出力電圧値と、今回の出力電圧値との差を算出する。最大電圧閾値算出部１４は、算出した差の絶対値が、安定閾値以下であれば、出力電圧値が安定していると判定する。
出力電圧値が安定していると判定した場合、最大電圧閾値算出部１４は、最大電圧閾値算出工程４５へ処理を進める。
出力電圧値が安定していないと判定した場合、最大電圧閾値算出部１４は、動作工程４１に処理を戻す。
【００３０】
最大電圧閾値算出工程４５において、最大電圧閾値算出部１４は、最大電圧閾値ｖｍａｘを算出する。例えば、最大電圧閾値算出部１４は、安定していると判定した出力電圧値を電圧基準値ｖ０とし、電圧基準値ｖ０に所定の算出係数ｋを乗じた積ｋ・ｖ０を算出する。最大電圧閾値算出部１４は、算出した積ｋ・ｖ０を、最大電圧閾値ｖｍａｘとして記憶する。
電圧基準値ｖ０は、例えば、今回の出力電圧値であってもよいし、最大電圧閾値算出部１４が記憶している前回の出力電圧値であってもよい。あるいは、今回の出力電圧値と前回の出力電圧値の平均値、最大値もしくは最小値であってもよい。
算出係数ｋは、１より大きい実数である。算出係数ｋは、例えば、１．１以上１．３以下であることが望ましい。その理由は、後述する。
その後、最大電圧閾値算出部１４は、動作工程４１に処理を戻す。
【００３１】
停止工程４６において、制御部１５は、電源回路１１の動作を停止し、点灯処理４０を終了する。
【００３２】
図６は、この実施の形態における照明装置１０の動作を説明するための図である。
【００３３】
この図は、図４で説明した光源回路２１の特性に、破線３２１〜３２３を書き加えたものである。
破線３２１は、電流目標値ｉ０を示す。破線３２２は、最大電圧閾値ｖｍａｘを示す。破線３２３は、無負荷判定閾値ｉ１を示す。
【００３４】
制御部１５は、出力電圧値が最大電圧閾値を超えない範囲で、出力電流値が電流目標値ｉ０に近づくよう、電源回路１１を制御する。
曲線３１１，３１２のように、光源回路２１の特性曲線と破線３２１との交点が破線３２２より左側に位置する場合、電源回路１１の出力電圧値及び出力電流値は、破線３２１と曲線３１１，３１２との交点によって示される。
また、曲線３１３のように、光源回路２１の特性曲線と破線３２２との交点が破線３２１より下側に位置する場合、電源回路１１の出力電圧値及び出力電流値は、破線３２２と曲線３１３との交点によって示される。
【００３５】
光源２１１を点灯していないときの温度をＴｃとする。
電源回路１１から供給された電力により光源２１１を点灯すると、光源２１１が発熱し、温度が上昇する。光源２１１における発熱と放熱とが平衡する平衡温度に達すると、温度が安定する。電源回路１１の出力電流値が電流目標値である場合の平衡温度をＴｅとする。ただし、Ｔｅ＞Ｔｃである。
【００３６】
光源２１１の温度が上昇すると、光源２１１の順方向降下電圧が低くなるので、電源回路１１の出力電流値が変化しなくても、電源回路１１の出力電圧値が変化する。したがって、電源回路１１の出力電圧値が電圧基準値で安定した場合、光源２１１の温度が平衡温度Ｔｅに達したとみることができる。
【００３７】
光源２１１の順方向降下電圧の温度係数を−α（ただし、α＞０。）とすると、平衡温度Ｔｅにおける光源２１１の順方向降下電圧は、温度Ｔｃにおける光源２１１の順方向降下電圧よりも、α・ΔＴ低くなる。ただし、ΔＴ＝Ｔｅ−Ｔｃである。
温度Ｔｃにおける光源２１１の順方向降下電圧をｖｃ、平衡温度Ｔｅにおける光源２１１の順方向降下電圧をｖｅとすると、ｖｅに対するｖｃの比β＝ｖｃ／ｖｅは、次の式で表わされる。
【００３８】
β＝１＋α・ΔＴ／ｖｅ
【００３９】
電源回路１１の出力電圧値は、直列に電気接続した光源２１１の順方向降下電圧の合計に等しい。
電圧基準値ｖ０は、光源２１１の温度が平衡温度Ｔｅであり、電源回路１１の出力電流値が電流目標値ｉ０であるときにおける電源回路１１の出力電圧値に等しい。光源２１１の温度がＴｃであり、電源回路１１の出力電流値が電流目標値ｉ０であるときにおける電源回路１１の出力電圧値の、電圧基準値ｖ０に対する比β’は、直列に電気接続した光源２１１のβの平均値にほぼ等しい。
最大電圧閾値ｖｍａｘが、電圧基準値ｖ０のβ’倍以上であれば、光源２１１の温度がＴｃのときでも、電源回路１１の出力電流値が電流目標値ｉ０に達する。すなわち、算出係数ｋがβ’以上であれば、ランプ２０の点灯を開始した直後であっても、ランプ２０が通常の明るさで点灯する。
【００４０】
例えば、複数の光源２１１を平均して、Ｔｃが２５℃、ｖｃが３．４Ｖ、αが５ｍＶ／℃であるとする。Ｔｅが８５℃である場合、ｖｅは３．１Ｖだから、βは１．０９７である。また、Ｔｅが１７５℃である場合、ｖｅは２．６５Ｖだから、βは１．２４２である。
【００４１】
ランプ２０が接続されていない場合における電源回路１１の出力電圧値の上昇を抑える観点からすると、最大電圧閾値は小さいほうがよい。
このため、算出係数ｋの望ましい値は、ランプ２０の放熱効率が比較的高い場合で１．１、ランプ２０の放熱効率が比較的低い場合で１．３である。
【００４２】
照明装置１０にランプ２０を接続して点灯し、出力電圧値が安定すると、最大電圧閾値算出部１４が、そのランプ２０に適した最大電圧閾値を算出して記憶する。
ランプ２０を消灯したのち再点灯すると、消灯している間に光源２１１の温度が下がり順方向降下電圧が上昇している。しかし、最大電圧閾値がそのランプ２０に適した値に設定されているので、ランプ２０の点灯を開始した直後であっても、ランプ２０が通常の明るさで点灯する。
また、ランプ２０を外した場合、照明装置１０は、電源回路１１の出力電圧値を最大電圧閾値ｖｍａｘまで上昇させても、出力電流値が０であり、無負荷判定閾値ｉ１より小さいので、ランプ２０が接続されていないと判定し、電源回路１１の動作を停止する。最大電圧閾値ができるだけ低い値に設定されているので、電源回路１１の出力電圧値を低く抑えることができる。
【００４３】
次に、照明装置１０に初めてランプ２０を接続した場合や、ランプ２０を交換した場合など、最大電圧閾値算出部１４が記憶している最大電圧閾値が、そのランプ２０に適した値でない場合について説明する。
【００４４】
最大電圧閾値算出部１４が記憶している最大電圧閾値が、そのランプ２０に適した値より高い場合、ランプ２０は、通常の明るさで点灯する。その後、出力電圧値が安定すると、最大電圧閾値算出部１４が、そのランプ２０に適した最大電圧閾値を算出して記憶する。
【００４５】
逆に、最大電圧閾値算出部１４が記憶している最大電圧閾値が、そのランプ２０に適した値より低い場合、電源回路１１の出力電圧値が最大電圧閾値に達しても、出力電流値が電流目標値に達しない場合がある。この場合、ランプ２０は、本来の明るさよりも暗く点灯する。その後、光源２１１の温度が上昇すると、順方向降下電圧が低くなるので、動作点が移動し、電源回路１１の出力電流値が電流目標値に達する。そして、出力電圧値が安定すると、最大電圧閾値算出部１４が、そのランプ２０に適した最大電圧閾値を算出して記憶する。
【００４６】
このように、ランプ２０の交換などにより、最適な最大電圧閾値が、記憶している最大電圧閾値よりも高くなった場合、最初の点灯時こそ、点灯直後に本来の明るさよりも暗く点灯する場合があるが、その後、最大電圧閾値がそのランプ２０に適した値に設定されるので、次からは、点灯直後から本来の明るさで点灯するようになる。
【００４７】
なお、ランプ２０が一瞬だけ外されて再接続される場合がある。この場合、電源回路１１の出力電圧値が上昇して電源回路１１の動作が停止する前、あるいは、電源回路１１の動作が停止したあとであっても、平滑コンデンサ１７４がまだ十分に放電していないため、電源回路１１の出力電圧値が高い状態であるときに、ランプ２０が再接続される。
外されたランプ２０と異なるランプ２０を接続するには、それなりの時間がかかるので、このような場合に再接続されたランプ２０は、以前のランプ２０と同じランプ２０であると考えられる。
したがって、そのランプ２０に適した最大電圧閾値よりも高い電圧が光源回路２１に印加される心配はない。
【００４８】
なお、最大電圧閾値算出部１４は、次のように動作する構成であってもよい。
【００４９】
安定判定工程４４において、最大電圧閾値算出部１４は、所定の条件が満たされているか否かを判定する。条件が満たされている場合、最大電圧閾値算出部１４は、電源回路１１の出力電圧値が安定しているか否かを判定する。条件が満たされていない場合、最大電圧閾値算出部１４は、電源回路１１の出力電圧値が安定しているか否かの判定をせずに、動作工程４１に処理を戻す。
条件には、例えば、電源回路１１の出力電流値が所定の電流閾値より大きいこと、ランプ２０に対する電力供給を開始してから所定の時間が経過したこと、電源回路１１の出力電流値が電流閾値より大きくなってから所定の時間が経過したことなどがある。なお、電流閾値は、電流目標値よりも小さい値であり、例えば、電流目標値の０．９倍である。
電源回路１１の出力電流値が所定の電流閾値より大きいことを条件とすると、電源回路１１の出力電流値が電流目標値にまだ達していない状態で、出力電圧値が安定したと判定するのを防ぐことができる。
ランプ２０に対する電力供給を開始してから所定の時間が経過したことや、電源回路１１の出力電流値が電流閾値より大きくなってから所定の時間が経過したことを条件とすると、最大電圧閾値算出部１４の処理負荷を減らすことができる。光源２１１の温度が平衡温度に達するのは、光源２１１を点灯してからある程度の時間が経過したのちなので、点灯直後に、電源回路１１の出力電圧値が安定することはないと考えてよいからである。
【００５０】
また、最大電圧閾値算出部１４は、次のように動作する構成であってもよい。
【００５１】
安定判定工程４４において、最大電圧閾値算出部１４は、今回の出力電圧値と前回の出力電圧値との２つを比較するだけでなく、前々回の出力電圧値を含む直近の３つ、あるいはそれ以上の数の出力電圧値を比較することにより、電源回路１１の出力電圧値が安定しているか否かを判定する。
例えば、最大電圧閾値算出部１４は、今回の出力電圧値を含め、記憶している直近の複数の出力電圧値のなかから最大値と最小値とを抽出し、抽出した最大値と最小値との差を算出する。最大電圧閾値算出部１４は、算出した差が安定閾値より小さい場合に、電源回路１１の出力電圧値が安定したと判定する。
【００５２】
また、最大電圧閾値算出部１４は、次のように動作する構成であってもよい。
【００５３】
最大電圧閾値算出工程４５において、最大電圧閾値算出部１４は、今回の出力電圧値と前回の出力電圧値とだけでなく、前々回の出力電圧値を含む直近の３つ、あるいはそれ以上の数の出力電圧値に基づいて、電圧基準値ｖ０を算出する。
例えば、最大電圧閾値算出部１４は、今回の出力電圧値を含め、記憶している直近の複数の出力電圧値を平均した平均値を、電圧基準値ｖ０とする。あるいは、最大電圧閾値算出部１４は、直近の複数の出力電圧値のなかから抽出した最小値を、電圧基準値ｖ０とする。あるいは、最大電圧閾値算出部１４は、直近の複数の出力電圧値のなかから抽出した最大値を、電圧基準値ｖ０とする。あるいは、最大電圧閾値算出部１４は、直近の複数の出力電圧値の最小値と最大値とを平均した平均値（すなわち、直近の複数の出力電圧値の中間値）を、電圧基準値ｖ０とする。あるいは、最大電圧閾値算出部１４は、直近の複数の出力電圧値のなかで、最も出現頻度が高い値（すなわち、直近の複数の出力電圧値の最頻値）を、電圧基準値ｖ０とする。あるいは、最大電圧閾値算出部１４は、直近の複数の出力電圧値のうち最も古い値（すなわち、直近の複数の出力電圧値の最古値）を、電圧基準値ｖ０とする。
【００５４】
また、最大電圧閾値算出部１４は、次のように動作する構成であってもよい。
【００５５】
安定判定工程４４において、最大電圧閾値算出部１４は、電源回路１１の出力電圧値が安定しているか否かを判定するのではなく、電源回路１１の出力電圧値がどの程度安定しているかを判定する。電源回路１１の出力電圧値が所定の程度以上安定していると判定した場合、最大電圧閾値算出部１４は、最大電圧閾値算出工程４５に処理を進める。それ以外の場合、最大電圧閾値算出部１４は、動作工程４１に処理を戻す。
例えば、最大電圧閾値算出部１４は、電源回路１１の出力電流値が電流閾値以下である場合、電源回路１１の出力電圧値が安定していないと判定する。最大電圧閾値算出部１４は、電源回路１１の出力電流値が電流閾値より大きい場合、前回の出力電圧値と今回の出力電圧値との差を算出する。最大電圧閾値算出部１４は、算出した差の絶対値を、安定閾値で割った商を算出して、安定指標値とする。安定指標値は、電源回路１１の出力電圧値がどの程度安定しているかを表わす。この例における安定指標値は、値が小さいほど、電源回路１１の出力電圧値が安定していることを表わす。最大電圧閾値算出部１４は、算出した安定指標値が所定の値より小さい場合に、最大電圧閾値算出工程４５へ処理を進める。
【００５６】
最大電圧閾値算出工程４５において、最大電圧閾値算出部１４は、電源回路１１の出力電圧値が安定している程度に応じて、算出係数ｋを変える。最大電圧閾値算出部１４は、電源回路１１の出力電圧値が安定しているほど、算出係数ｋを大きくする。最大電圧閾値算出部１４は、電源回路１１の出力電圧値が安定している程度に応じて設定した算出係数ｋを使って、最大電圧閾値ｖｍａｘを算出する。
例えば、安定指標値が１より小さい場合、最大電圧閾値算出部１４は、算出係数ｋをｋ０（例えば０．３）に設定する。安定指標値が１以上である場合、最大電圧閾値算出部１４は、（ｋ０−１）を安定指標値で割った商に１を加えた和を算出して、算出係数ｋとする。
【００５７】
これにより、ランプ２０の交換などにより、最適な最大電圧閾値が、記憶している最大電圧閾値よりも高くなった場合において、最初の点灯時の点灯時間が不十分で、光源２１１の温度が平衡温度に達しなかった場合でも、最大電圧閾値を再設定するので、次からは、点灯直後から本来の明るさで点灯するようになる。
【００５８】
以上、説明した構成は、一例であり、他の構成であってもよい。例えば、本質的でない部分の構成を、他の構成で置き換えた構成であってもよい。
【００５９】
例えば、入力回路１６は、力率改善回路を有する構成であってもよい。
【００６０】
また、直流直流変換回路１７のスイッチング素子１７１は、高電位側ではなく、低電位側に電気接続されている構成であってもよい。
また、直流直流変換回路１７は、ブーストコンバータ回路などの昇圧型スイッチング電源回路であってもよいし、フライバックコンバータ回路など絶縁型スイッチング電源回路であってもよいし、スイッチング電源回路以外の回路であってもよい。
【００６１】
また、光源回路２１は、接続検出抵抗２１２を有さない構成であってもよい。
また、光源回路２１は、すべての光源２１１が直列に接続した構成であってもよい。
【符号の説明】
【００６２】
１０  照明装置、１０１  ソケット、１１  電源回路、１２  電流測定部、１２１  電流測定抵抗、１３  電圧測定部、１３１，１３２  分圧抵抗、１４  最大電圧閾値算出部、１５  制御部、１６  入力回路、１６１  整流回路、１６２  コンデンサ、１７  直流直流変換回路、１７１  スイッチング素子、１７２  整流素子、１７３  チョークコイル、１７４  平滑コンデンサ、２０  ランプ、２１  光源回路、２１１  光源、２１２  接続検出抵抗、３１１，３１２，３１３  曲線、３２１，３２２，３２３  破線、４０  点灯処理、４１  動作工程、４２  測定工程、４３  出力調整工程、４４  安定判定工程、４５  最大電圧閾値算出工程、４６  停止工程、８１  外部電源。
【図１】
2014079043.tif 000003
【図２】
2014079043.tif 000004
【図３】
2014079043.tif 000005
【図４】
2014079043.tif 000006
【図５】
2014079043.tif 000007
【図６】
2014079043.tif 000008